(57)【要約】      （修正有）【課題】簡単な構成で、意思伝達できない被介護者にも適用可能な介護システムを提供する。【解決手段】介護システム１は、被介護者の排便部位に対応する位置に貫通穴２ａが形成された敷布団２と、敷布団２の下の貫通穴２ａに対応する位置に設けられ、所定の重さ以上の物体が載置されたか否かを検知する重量センサ３と、重量センサ３に上記所定の重さ以上の物体が載置された場合、その旨を報知する報知用ランプ４と、を備える。【選択図】図１
0003184520.tif 000002
【実用新案登録請求の範囲】
【請求項１】
被介護者の排便部位に対応する位置に貫通穴が形成された敷布団と、
上記敷布団の下の上記貫通穴に対応する位置に設けられ、所定の重さ以上の物体が載置されたか否かを検知する重量センサと、
上記重量センサに上記所定の重さ以上の物体が載置された場合、その旨を報知する報知装置と、
を備えることを特徴とする介護システム。
【請求項２】
上記敷布団および上記重量センサが設置されたベッドをさらに備えることを特徴とする請求項１に記載の介護システム。
【請求項３】
上記敷布団および上記重量センサの下に設けられ、上記重量センサに対応する位置に窪みが形成されたマットをさらに備えることを特徴とする請求項２に記載の介護システム。
【請求項４】
上記被介護者の足を持ち上げるための持ち上げ手段をさらに備えることを特徴とする請求項１〜３のいずれか１項に記載の介護システム。
【請求項５】
請求項１〜４のいずれか１項に記載の介護システムを利用する被介護者に装着するためのおむつであって、上記排便部位に対応する部分が外側に拡張可能であることを特徴とするおむつ。
【考案の詳細な説明】
【技術分野】
【０００１】  本考案は、介護用システムに関し、特に、意思伝達できない被介護者にも適用可能な介護システムに関する。
【背景技術】
【０００２】  被介護者の多くは、用便の際に介護者の手を借りる必要があるが、発声等により意思伝達できない被介護者も存在する。これに対し、特許文献１には、自立できない人がベッドの中に入ったままの状態で用便ができる介護用ベッドが開示されている。
【先行技術文献】
【特許文献】
【０００３】
【特許文献１】特開２００５−２３０４１１号公報
【考案の概要】
【考案が解決しようとする課題】
【０００４】  しかし、特許文献１の技術では、介護用ベッドに人体を洗浄するための回転ブラシや昇降装置等の複雑な機構を必要とする。【０００５】  本考案は、上記の問題点を解決するためになされたもので、その目的は、簡単な構成で、意思伝達できない被介護者にも適用可能な介護システムを実現することにある。
【課題を解決するための手段】
【０００６】  上記の課題を解決するために、本考案に係る介護システムは、被介護者の排便部位に対応する位置に貫通穴が形成された敷布団と、上記敷布団の下の上記貫通穴に対応する位置に設けられ、所定の重さ以上の物体が載置されたか否かを検知する重量センサと、上記重量センサに上記所定の重さ以上の物体が載置された場合、その旨を報知する報知装置と、備えることを特徴とする。【０００７】  本考案に係る介護システムは、上記敷布団および上記重量センサが設置されたベッドをさらに備えることが好ましい。【０００８】  本考案に係る介護システムは、上記敷布団および上記重量センサの下に設けられ、上記重量センサに対応する位置に窪みが形成されたマットをさらに備えることが好ましい。【０００９】  本考案に係る介護システムは、上記被介護者の足を持ち上げるための持ち上げ用パイプをさらに備えることが好ましい。【００１０】  本考案に係るおむつは、上記介護システムを利用する被介護者に装着するためのおむつであって、上記排便部位に対応する部分が外側に拡張可能であることを特徴とする。
【考案の効果】
【００１１】  本考案に係る介護システムでは、被介護者が用便を行った場合、おむつが外側に拡張し、おむつの拡張部分が、敷布団の貫通穴に嵌って、当該拡張部分の先端が重量センサ上に達する。これにより、重量センサは所定以上の重さの物体が載置されたことを検知して、報知装置がその旨を報知する。よって、被介護者が意思伝達能力を失っている場合であっても、介護者は被介護者が用便を行ったことを知ることができる。また、人体を洗浄するための回転ブラシや昇降装置等の複雑な機構を必要としない。よって、簡単な構成で、意思伝達できない被介護者にも適用可能な介護システムを実現することができる。
【図面の簡単な説明】
【００１２】
【図１】本考案の介護システムを説明するための分解斜視図。
【図２】本考案の介護システムを説明するための斜視図。
【図３】本考案の介護システムを説明するための斜視図。
【図４】本考案のおむつの側視図。
【図５】本考案のおむつの展開図。
【考案を実施するための形態】
【００１３】  本考案の一実施形態について説明する。
【００１４】  図１は、本実施形態に係る介護システム１を説明するための分解斜視図である。図２および図３は、介護システム１を説明するための斜視図である。介護システム１は、敷布団２と、重量センサ３と、報知用ランプ４（報知装置）と、マット５と、ベッド６と、持ち上げ用パイプ７（持ち上げ手段）とを備えている。
【００１５】  敷布団２には、被介護者の排便部位に対応する位置に貫通穴２ａが形成されている。貫通穴２ａの大きさは、被介護者の排泄物が通過できる程度であればよい。
【００１６】  重量センサ３は、敷布団２の下の貫通穴２ａに対応する位置に設けられる。重量センサ３は、報知用ランプ４に接続されており、重量センサ３に所定以上の重さの物体が載置された場合、報知用ランプ４が点灯する。
【００１７】  マット５は、敷布団２および重量センサ３の下に設けられている。マット５には、重量センサ３に対応する位置に窪み５ａが形成されている。
【００１８】  ベッド６には、敷布団２、重量センサ３およびマット５が設置される。
【００１９】  持ち上げ用パイプ７は、例えばステンレス製のパイプで構成される。図２に示すように、持ち上げ用パイプ７を被介護者の腰の真上付近に設置した後、被介護者の太もも付近を持ち上げ用パイプ７に留め具等で固定する。さらに、図３に示すように、持ち上げ用パイプ７の上から掛布団８を被せる。
【００２０】  図４は、被介護者に装着するおむつ９の側視図である。図４（ａ）は、通常の状態を示している。本考案のおむつ９は、被介護者の排便部位に対応する部分が外側に拡張可能な構造を有しており、図４（ｂ）は、外側に拡張した状態を示している。被介護者が用便を行った場合、図４（ｂ）のように、被介護者の排便部位に対応する部分が外側に拡張する。９ａは、拡張部分を示している。
【００２１】  図５は、おむつ９を展開した状態を示している。同図に示すように、おむつ９の被介護者の排便部位に対応する位置には、折り畳み構造９ｂが形成されている。折り畳み構造９ｂは、紙風船のように生地が折り重なった構造であり、外側に拡張可能となっている。
【００２２】  被介護者が用便を行った場合、折り畳み構造９ｂが排泄物によって外側に押し出されて拡張部分９ａが形成される。この拡張部分９ａが、敷布団２の貫通穴２ａに嵌って、拡張部分９ａの先端が重量センサ３上に達する。これにより、重量センサ３は所定以上の重さの物体が載置されたことを検知して、報知用ランプ４が点灯する。よって、被介護者が意思伝達能力を失っている場合であっても、介護者は被介護者が用便を行ったことを知ることができる。
【００２３】  さらにこのとき、介護者は持ち上げ用パイプ７を上方に持ち上げることにより、掛布団８、被介護者の太ももおよび腰を持ち上げることができる。よって、介護者は、おむつ９の交換を容易に行うことができる。また、介護システム１は、人体を洗浄するための回転ブラシや昇降装置等の複雑な機構は必要としない。よって、簡単な構成で、意思伝達できない被介護者にも適用可能である。
【００２４】  本実施形態はあくまで本考案を例示するものであって、本考案はこれに限定されるものではなく、請求項に示した範囲で種々の変更が可能である。たとえば、報知用ランプ４の代わりに、ブザー等を使用してもよい。
【符号の説明】
【００２５】  １    介護システム
２    敷布団
２ａ  貫通穴
３    重量センサ
４    報知用ランプ（報知装置）
５    マット
５ａ  窪み
６    ベッド
７    持ち上げ用パイプ（持ち上げ手段）
８    敷布団
９    おむつ
９ａ  拡張部分
９ｂ  折り畳み構造
【図１】
0003184520.tif 000003
【図２】
0003184520.tif 000004
【図３】
0003184520.tif 000005
【図４】
0003184520.tif 000006
【図５】
0003184520.tif 000007